(57)【特許請求の範囲】
【請求項１】
光が入射する入射面と前記入射面に入射した光を外部に拡散して出射する一対の出射面とを有するレンズ部を備え、長手方向に渡って同一の断面形状を有する管状の透光性部材と、
前記透光性部材の内部に前記長手方向に沿って配置された基板と、
前記基板に実装され、前記透光性部材の前記入射面を含む領域に前記光を出射する発光部と、
を備え、
前記透光性部材の前記入射面は、前記発光部に対向する位置に設けられ、
前記透光性部材の前記レンズ部は、前記入射面に入射した前記光を前記一対の出射面に導光する一対の導光部を備え、前記入射面に入射した前記光を前記一対の出射面から前記長手方向に直交する前記基板の幅方向に拡散して出射する、
照明装置。
【請求項２】
前記一対の導光部は、前記入射面に入射した光の一部を前記基板の幅方向に反射させる一対の反射面を有する、
請求項１に記載の照明装置。
【請求項３】
前記一対の導光部は、Ｖ字形状を有し、前記透光性部材は、各部がほぼ同一の厚さを有する、
請求項１又は２に記載の照明装置。
【請求項４】
前記透光性部材は、前記レンズ部の両側に設けられた一対の肩部と、
前記一対の肩部との間に前記基板の厚さに対応する間隔を設けて配置された基板保持部とを備え、
前記一対の肩部と前記基板保持部との間に前記基板を保持する、
請求項１から３のいずれか１項に記載の照明装置。
【請求項５】
前記透光性部材の前記断面形状は、押出成形によって形成可能な形状を有する、
請求項１から４のいずれか１項に記載の照明装置。
【請求項６】
前記複数の発光部は、２つの前記基板の一方面又は１つの前記基板の両面に実装され、
前記透光性部材は、相対する方向に一対の前記レンズ部を有し、前記複数の発光部から出射された光を前記一対のレンズ部を介して相対する方向に出射する、
請求項１から５のいずれか１項に記載の照明装置。
【請求項７】
前記透光性部材は、前記透光性部材の１００質量％に対して、０．１質量％以上３質量％以下の光拡散材を含有する、
請求項１から６のいずれか１項に記載の照明装置。
【請求項８】
請求項１から７のいずれか１項に記載の照明装置を備えた表示装置。」
【発明の詳細な説明】
【技術分野】
【０００１】
本発明は、照明装置及び表示装置に関する。
【背景技術】
【０００２】
従来、例えば照明看板や液晶ディスプレイ等のバックライト、照明機器等では、白熱電球や蛍光灯を光源としている。近年では、点光源であるＬＥＤ（Light Emitting Diode）の高出力化が可能になり、照明に可能な照度が得られるようになってきたことから、ＬＥＤが白熱電球や蛍光灯に代わる光源として多様化されてきている。
【０００３】
この種のＬＥＤを照明に使用するものとしては、１個のＬＥＤが照明する照明領域の拡大を図った照明装置が提案されている（例えば、特許文献１参照。）。
【０００４】
特許文献１記載の照明装置は、光軸方向と直交する方向（長手方向）に延びるＬＥＤと、ＬＥＤが実装された基板と、基板の表面にＬＥＤを封止するように設けられ、長手方向に沿って延びる形状を有し、ＬＥＤから放射される光をＬＥＤの幅方向（ＬＥＤの長手方向及び光軸方向に直交する方向）に広げるレンズとを備え、レンズは、入射面がＬＥＤの発光面に接合材により光学的に接合されている。
【先行技術文献】
【特許文献】
【０００５】
【特許文献１】特開２０１１−１４８３１号公報
【発明の概要】
【発明が解決しようとする課題】
【０００６】
しかし、特許文献１記載の照明装置を屋外で使用する場合、基板の裏面がレンズから露出する構成であるため、雨水等によって基板の配線の腐食や短絡を招くおそれがある。このため、照明装置を屋外で使用するには、防水性の点で問題がある。また、雨水等を防ぐカバー等を用いることで、照明装置を屋外で使用することが可能となるが、照明装置の部品点数が増えて構造が複雑になるという問題があり、カバーによる光の損失を招くという問題もある。
【０００７】
そのため、本発明の目的は、簡素な構造で防水性に優れた照明装置及び表示装置を提供することにある。
【課題を解決するための手段】
【０００８】
本発明の一態様は、上記目的を達成するため、以下の照明装置及び表示装置を提供する。
［１］光が入射する入射面と前記入射面に入射した光を外部に拡散して出射する一対の出射面とを有するレンズ部を備え、長手方向に渡って同一の断面形状を有する管状の透光性部材と、前記透光性部材の内部に前記長手方向に沿って配置された基板と、前記基板に実装され、前記透光性部材の前記入射面を含む領域に前記光を出射する発光部と、を備え、前記透光性部材の前記入射面は、前記発光部に対向する位置に設けられ、前記透光性部材の前記レンズ部は、前記入射面に入射した前記光を前記一対の出射面に導光する一対の導光部を備え、前記入射面に入射した前記光を前記一対の出射面から前記長手方向に直交する前記基板の幅方向に拡散して出射する、照明装置。
［２］前記一対の導光部は、前記入射面に入射した光の一部を前記基板の幅方向に反射させる一対の反射面を有する、前記［１］に記載の照明装置。
［３］前記一対の導光部は、Ｖ字形状を有し、前記透光性部材は、各部がほぼ同一の厚さを有する、前記［２］に記載の照明装置。
［４］前記透光性部材は、前記レンズ部の両側に設けられた一対の肩部と、前記一対の肩部との間に前記基板の厚さに対応する間隔を設けて配置された基板保持部とを備え、前記一対の肩部と前記基板保持部との間に前記基板を保持する、前記［１］から［３］のいずれかに記載の照明装置。
［５］前記透光性部材の前記断面形状は、押出成形によって形成可能な形状を有する、前記［１］から［４］のいずれかに記載の照明装置。
［６］前記複数の発光部は、２つの前記基板の一方面又は１つの前記基板の両面に実装され、前記透光性部材は、相対する方向に一対の前記レンズ部を有し、前記複数の発光部から出射された光を前記一対のレンズ部を介して相対する方向に出射する、前記［１］から［５］のいずれかに記載の照明装置。
［７］前記透光性部材は、前記透光性部材の１００質量％に対して、０．１質量％以上３質量％以下の光拡散材を含有する、前記［１］から［６］のいずれかに記載の照明装置。
［８］前記筐体の底部に配置された前記［１］から［７］のいずれかに記載の照明装置を備えた表示装置。
【発明の効果】
【０００９】
本発明によれば、簡素な構造で防水性に優れた照明装置及び表示装置を提供することができる。
【図面の簡単な説明】
【００１０】
【図１】図１は、本発明の第１の実施の形態に係る照明装置の外観の一例を示す分解斜視図である。
【図２】図２は、図１に示す照明装置を上方から見た一部を破断して示す平面図である。
【図３】図３は、図２のＡ−Ａ線断面図である。
【図４】図４は、ＬＥＤモジュールの一例を示す断面図である。
【図５】図５は、第１の実施の形態に係る照明装置から出射された光線の一部を示す模式図である。
【図６】図６は、本発明の第２の実施の形態に係る照明装置の断面図である。
【図７】図７は、本発明の第３の実施の形態に係る照明装置の断面図である。
【図８】図８は、本発明の第４の実施の形態に係る照明装置の断面図である。
【図９】図９は、本発明の第５の実施の形態に係る照明装置の断面図である。
【図１０】図１０は、本発明の第６の実施の形態に係る照明装置の断面図である。
【図１１】図１１は、本発明の第７の実施の形態に係る表示装置の一例を示す断面図である。
【発明を実施するための形態】
【００１１】
以下、本発明の実施の形態を図面を参照して説明する。なお、同一の機能を有するものについては、同一の符号を用いてその説明を省略する。
【００１２】
［第１の実施の形態］
図１は、本発明の第１の実施の形態に係る照明装置の外観の一例を示す分解斜視図である。図２は、図１に示す照明装置を上方から見た一部を破断して示す平面図である。図３は、図２のＡ−Ａ線断面図である。
【００１３】
この照明装置１は、押出成形によって成形可能な長手方向に渡って同一の断面形状を有する透光性部材２と、複数の発光部の一例としてのＬＥＤモジュール３０が表面に実装され、透光性部材２の内部に透光性部材２の長手方向に沿って配置される基板３と、透光性部材２の長手方向の両端部にそれぞれ嵌め込まれる一対の蓋部材４とを備える。
【００１４】
（透光性部材）
透光性部材２は、例えば、管状（周方向に閉じている形状）を有し、ＬＥＤモジュール３０が出射した光を基板３の長手方向と直交する幅方向に拡散して出射するＭ字形状のレンズ部２１と、照明装置１の底部を形成し、図示しない被取り付け部材に取り付けられるベース部２２と、基板３を保持する一対の基板保持部２３と、レンズ部２１の両側に位置する一対の肩部２４と、肩部２４とベース部２２とを接続する一対の脚部２５とを備える。
【００１５】
透光性部材２は、例えばＰＭＭＡ（ポリメタルクリル酸メチル）、ポリカーボネート等の透明樹脂から形成される。透光性部材２は、例えば、押出成形することで各部２１〜２５が一体に形成される。各部２１〜２５の肉厚は、略同一でもよいし、異なっていてもよい。また、透光性部材２には、透光性部材を構成する樹脂とは屈折率が異なる拡散材を、透光性部材２の１００質量％に対して、０．１質量％以上３質量％以下の割合で含有させてもよい。透光性部材２に拡散材を含有することにより、ＬＥＤモジュール３０から出射した光を均一に分散することが可能になり、本照明装置１を後述する表示装置１０に適用した場合に、表示部１００において、色ムラや発光ムラの発生を抑えることができる。
【００１６】
（レンズ部）
レンズ部２１は、ＬＥＤモジュール３０から光が入射する入射面２１ａと、入射面２１ａに入射した光を外部に出射する一対の出射面２１ｂ、一対の出射面２１ｃ及び凹面２１ｆと、入射面２１ａから入射した光を出射面２１ｂ、２１ｃに導光する一対の導光部２１１と、導光部２１１と肩部２４とを連結する連結部２１２とを備える。
【００１７】
レンズ部２１の入射面２１ａは、基板３の方向に突出してＬＥＤモジュール３０と対向する面となっている。入射面２１ａは、三角形の凹部２１０ａを有し、凹部２１０ａの端面とＬＥＤモジュール３０との間に空隙ｄ１を設けている。入射面２１ａとＬＥＤモジュール３０との間の空隙ｄ１は、０．３〜１．５ｍｍが好ましい。この空隙ｄ１を設けることにより、ＬＥＤモジュール３０の破損を抑制するとともに、基板３を透光性部材２に挿入しやすくする。入射面２１ａは、凹部２１０ａの中央部分に入射した光を透過させてレンズ部２１から出射させるとともに、凹部２１０ａの中央部分以外に入射した光を一対の導光部２１１に導入する。
【００１８】
レンズ部２１の一対の導光部２１１は、Ｖ字形状を有し、入射面２１ａに入射した光を反射面２１ｅで全反射させつつ出射面２１ｂ、２１ｃから外部に出射させ、又は入射面２１ａに入射した光を直接出射面２１ｂから外部に出射させる。
【００１９】
連結部２１２は、一対の導光部２１１の上方側の両端部で下方側に折り曲がり、この端部から基板３側に斜め方向に延びて導光部２１１と肩部２４とを連結している。連結部２１２の内側の側面は、ＬＥＤモジュール３０から出射されて入射面２１ａに到達しない光を入射する入射面２１ｄを形成する。連結部２１２の外側の側面は、出射面２１ｃを形成する。
【００２０】
（基板保持部）
基板保持部２３は、基板３の下面と線接触して基板３を下方側から支持する凸部２３１を有する。また、基板保持部２３は、脚部２５の内側の側面と基板３の幅方向の端部との間に空隙ｄ２を設けて基板３を保持している。この空隙ｄ２を設けることにより振動や外力によって透光性部材２が変形した場合に基板３及びＬＥＤモジュール３０の損傷を抑制することができる。なお、基板保持部２３は、凸部２３１を有しない平面によって基板３を保持するものとしてもよい。
【００２１】
（肩部及び脚部）
肩部２４は、連結部２１２から基板３の幅方向に延びるように設けられ、肩部２４の下面が基板３の上面と接触して基板保持部２３とともに基板３を保持する。
【００２２】
脚部２５は、肩部２４の幅方向の外側の端部から下方側に延び、ベース部２２に接続している。脚部２５は、レンズ部２１及び肩部２４をベース部２５に接続して支持する。
【００２３】
（基板）
基板３は、例えばガラスエキポシ基板等の樹脂材料で形成される。基板３の表面には、複数のＬＥＤモジュール３０が長手方向に沿って１列に、一定の間隔を設けて実装され、ＬＥＤモジュール３０の電極が図示しない配線パターンによってリード線３１に接続されている。なお、基板３の表面にＬＥＤモジュール３０を基板３の長手方向に沿って複数列並べてもよい。また、１つのＬＥＤモジュール３０を基板３の表面に実装してもよい。
【００２４】
（蓋部材）
蓋部材４は、図１及び図２に示すように、透光性部材２の内周面と接触する外周面を有し、透光性部材２の内部に雨水等が浸入しないように透光性部材２の両端部を封止する。また、蓋部材４は、基板３に電力を供給するリード線３１を透光性部材２の内部に導入するように構成されている。この場合、蓋部材４は、リード線３１が貫通する孔４１を雨水等が透光性部材２の内部に浸入しないように樹脂の注入やＯリング等で封止する。
【００２５】
（ＬＥＤモジュール）
図４は、ＬＥＤモジュール３０の一例を示す断面図である。ＬＥＤモジュール３０は、青色光を発するＬＥＤチップである青色ＬＥＤ素子３００と、青色ＬＥＤ素子３００が凹部３０１の底面に配置されたパッケージ３０２と、青色光により励起されて黄色光を発する蛍光体３０４を含有して青色ＬＥＤ素子３００を封止する封止樹脂３０３と、リード線３１と青色ＬＥＤ素子３００の電極とを接続する一対のリード３０５とを有し、青色光と黄色光との混合によって白色の光を出射する。
【００２６】
青色ＬＥＤ素子３００には、例えば発光波長領域が４５０〜４６０ｎｍのＧａＮ系化合物半導体からなる素子を用いることができる。蛍光体３０４には、珪酸塩系の蛍光体、又はＹＡＧ（Yttrium Aluminum Garnet）蛍光体等のガーネット系蛍光体を用いることができる。なお、ＬＥＤモジュール３０は、白色以外の他の色を出射するものでもよく、青色ＬＥＤ素子３００に代えて例えば、赤、緑、青の３色のＬＥＤ素子を用いて各種のカラー発光光を出射するものでもよい。また、発光部としてＬＥＤモジュール３０に替えてＬＥＤ素子を基板３上に直接実装してもよく、そのＬＥＤ素子を封止樹脂３０３で封止しても良い。
【００２７】
（照明装置の動作）
図５は、照明装置１から出射された光線の一部を示す模式図である。図示しない電源からリード線３１を介して基板３に実装されたＬＥＤモジュール３０に電力が供給されると、ＬＥＤモジュール３０は、白色の光を出射する。
【００２８】
ＬＥＤモジュール３０から出射された光は、その出射角θに応じて、図５に示すように、透光性部材２の上方側、斜め上方側及び側方側から外部に出射する。
【００２９】
（第１の実施の形態の効果）
本実施の形態によれば、以下の効果を奏する。
（１）透光性部材２の各部２１〜２５を一体化させ、基板３を透光性部材２の内部に配置する構成とすることにより、雨水等が透光性部材２の内部に入らないので、部品点数の少ない簡素な構造で照明装置１の防水性を高めることができる。
（２）透光性部材２の内部に複数のＬＥＤモジュール３０を基板３の長手方向に沿って並べた照明装置１をモジュール化することにより、１つのＬＥＤモジュール毎にモジュール化された照明装置と比べて、照明装置１を設置する際の工数を削減することができる。
（３）ＬＥＤモジュール３０から出射された所定の広がり角θ１（例えば、６０〜１００°）を有する光を入射面２１aに入射し、基板３の幅方向に拡散した広がり角θ２（例えば、１００〜１６０°、但しθ２＞θ１）で外部に出射するレンズ部２１を透光性部材２に設けることにより、広い範囲を照明することができる。
（４）レンズ部２１にＶ字形状の導光部２１１を設けた構成にすることにより、透光性部材２の各部を略同一の肉厚に形成することができる。これにより、押出成形により透光性部材２を形成する際に、歪みの少ない精密な形状の透光性部材２を形成することができる。
【００３０】
［第２の実施の形態］
図６は、本発明の第２の実施の形態に係る照明装置の断面図である。第１の実施の形態では、照明装置１の一方の側から光を出射する構成であるが、本実施の形態では、照明装置１の両方の側から光を出射する構成としている。以下、第１の実施の形態と異なる点を中心に説明する。
【００３１】
本実施の形態の照明装置１は、一対のレンズ部２１を有する透光性部材２Ａと、それぞれのレンズ部２１に対応する一対の基板３とを備える。この透光性部材２Ａは、対向する位置に設けられた一対のレンズ部２１と、透光性部材２の幅方向の側面を形成する脚部２５と、脚部２５から突出するベース部２２と、一対の基板３をそれぞれ保持する基板保持部２３とを備える。
【００３２】
一対の基板３は、ＬＥＤモジュール３０が相対する方向に光を出射するように、一対のの基板３の裏面を対向させて透光性部材２Ａの内部に配置される。
【００３３】
（第２の実施の形態の効果）
本実施の形態によれば、１つの照明装置１で相対する方向を照明することができ、相対する方向を照明する場合に照明装置１の数を減らすことができる。
【００３４】
［第３の実施の形態］
図７は、本発明の第３の実施の形態に係る照明装置の断面図である。第１の実施の形態の透光性部材２のレンズ部２１は、入射した光を出射面２１ｂまで導光する一対の導光部２１１を有するが、本実施の形態の透光性部材２Ｂのレンズ部２１は、一対の導光部２１１に代えて一対の反射面２１ｈを有する。以下、第１の実施の形態と異なる点を中心に説明する。
【００３５】
本実施の形態の透光性部材２Ｂのレンズ部２１は、ＬＥＤモジュール３０から光が入射する入射面２１ｇと、入射面２１ｇから入射した光を基板３の幅方向、すなわち側方（光軸３２に直交する方向）、斜め上方及び斜め後方に反射する一対の反射面２１ｈと、反射面２１ｈで反射した光を外部に出射する出射面２１ｉとを有する。
【００３６】
レンズ部２１の入射面２１ｇは、レンズ部２１のＬＥＤモジュール３０と対向する面に設けられ、ＬＥＤモジュール３０を収容する凹部により形成される。レンズ部２１の反射面２１ｈは、例えば、放物線、楕円等の曲面で形成されている。
【００３７】
（第３の実施の形態の効果）
本実施の形態によれば、反射面２１ｈを設けることで、多くの光を基板３の幅方向に出射することができる。
【００３８】
［第４の実施の形態］
図８は、本発明の第４の実施の形態に係る照明装置の断面図である。第１の実施の形態のレンズ部２１は、出射面２１ｂが上方を向いているが、本実施の形態では、出射面２１１ｂは、側方に向くように構成されている。以下、第１及び第３の実施の形態と異なる点を中心に説明する。
【００３９】
本実施の形態の透光性部材２Ｃのレンズ部２１は、曲面からなる反射面２１ｈと、連結部２１２よりも外側に延びる端部２１１ａが形成された導光部２１１とを有する。この導光部２１１は、ＬＥＤモジュール３０から出射して反射面２１ｈに到達した光を基板３の幅方向、すなわち側方、斜め上方及び斜め後方に反射し、レンズ部２１の出射面２１１ｂから出射するように形成されている。透光性部材２Ｃは、各部の肉厚を略同一としている。
【００４０】
（第４の実施の形態の効果）
本実施の形態によれば、透光性部材２Ｃの肉厚を略同一としながら、多くの光を基板３の幅方向に出射することができる。
【００４１】
［第５の実施の形態］
図９は、本発明の第５の実施の形態に係る照明装置の断面図である。第１の実施の形態では、ＬＥＤモジュール３０が出射した光を基板３の幅方向に拡散して外部に出射するようにしたが、本実施の形態では、ＬＥＤモジュール３０が出射した光を集光して外部に出射するようにしたものである。以下、第１の実施の形態と異なる点を中心に説明する。
【００４２】
本実施の形態の透光性部材２Ｄは、レンズ部２１がＬＥＤモジュール３０に対向する位置に集光部の一例としての集光レンズ２１３を有し、他は第１の実施の形態と同様に、ベース部２２、基板保持部２３、肩部２４及び脚部２５を有する。
【００４３】
集光レンズ２１３は、ＬＥＤモジュール３０側に凸となる入射面２１ｊと、ＬＥＤモジュール３０と反対側に凸となる出射面２１ｋとを有し、入射した光を集光して外部に指向性の高い光を出射する。なお、集光レンズ２１３は、図示しない焦点を有し、ＬＥＤモジュール３０が出射した光を焦点で結ぶように形成してもよい。また、集光レンズ２１３は、入射面２１ｊ又は出射面２１ｋが平坦面でもよい。
【００４４】
（第５の実施の形態の効果）
本実施の形態によれば、透光性部材２Ｄに集光レンズ２１３を設けることにより、指向性の高い光を外部に出射することができる。
【００４５】
［第６の実施の形態］
図１０は、本発明の第６の実施の形態に係る照明装置の断面図である。第２の実施の形態は、一対の基板３を有して相対する方向に光を出射する構成であるが、本実施の形態は、１つの基板３Ａにより相対する方向に光を出射する構成としている。以下、第１及び第２の実施の形態と異なる点を中心に説明する。
【００４６】
本実施の形態の照明装置１は、基板３Ａを上下方向から挟んで保持する肩部２４を有する透光性部材２Ｅと、両面にＬＥＤモジュール３０が実装された基板３Ａとを備える。
【００４７】
透光性部材２Ｅは、第２の実施の形態と同様に、一対のレンズ部２１と、ベース部２２と、ベース部２２の上下にそれぞれ設けられた一対の肩部２４とを有する。透光性部材２Ｅの肩部２４は、ベース部２２の内側の端面と基板３Ａの側面との間に間隔を設けて基板３Ａを保持する。
【００４８】
（第６の実施の形態の効果）
本実施の形態によれば、１つの基板３Ａの両面にＬＥＤモジュール３０を実装する構成とすることにより、図１に示す照明装置１を２つ用いた場合と比べて部品点数を削減することができる。また、照明装置１を低背化することができるので、狭い空間にも照明装置１を配置することが可能になる。
【００４９】
［第７の実施の形態］
図１１は、本発明の第７の実施の形態に係る表示装置の一例を示す断面図である。本実施の形態では、第１の実施の形態に係る照明装置１が配置された表示装置１０について説明する。
【００５０】
本実施の形態の表示装置１０は、開口部１１ａを有する箱状の筺体１１と、開口部１１ａに設けられた表示部１００と、筺体１１の背面板１１ｂに取り付けられ、表示部１００を背面側から照明する複数の（本実施の形態では２つ）照明装置１とを備える。なお、表示装置１０で用いる照明装置１の数は、１つでもよい。
【００５１】
表示装置１０の筺体１１は、金属又はポリカーボネート等の樹脂材料からなり、背面板１１ｂを取り囲む４つの側面板１１ｃを備える。側面板１１ｃの内面には、アルミニウムシート等の金属シートが貼り付けられており光の反射効率を高めている。なお、側面板１１ｃの内面は、金属シートの代わりに、白色塗装を施してもよい。また、筺体１１を白色の樹脂材料で形成してもよい。
【００５２】
表示装置１０の表示部１００は、表示板１００ａ、透明板１００ｂ及び散乱板１００ｃを積層して形成する。透明板１００ｂ及び散乱板１００ｃは、例えば、透明樹脂、透明ガラス等からなる。表示板１００ａの表面には、広告等が印刷されている。透明板１００ｂは、表示板１００ａを保護する。散乱板１００ｃは、表面又は裏面に微細な凹凸を有しており、入射した光を散乱させる。
【００５３】
（表示装置の動作）
それぞれの照明装置１に図示しない電源から電力を供給すると、それぞれの照明装置１の複数のＬＥＤモジュール３０から光が出射する。ＬＥＤモジュール３０から出射した光線Ｌ１１〜Ｌ１３は、透光性部材２のレンズ部２１によって上方、斜め上方に拡散されて照明装置１から出射する。照明装置１から上方に出射した光線Ｌ１１は、表示部１００に直接到達して表示部１００を照明する。照明装置１から斜め上方に出射した光線Ｌ１２、Ｌ１３は、一部が表示部１００に直接到達して表示部１００を照明し、その他は、筺体１１の側面板１１ｃの内面で反射して表示部１００に到達して表示部１００を照明する。
【００５４】
（第７の実施の形態の効果）
本実施の形態によれば、基板３の幅方向に光を拡散して出射するレンズ部２１を照明装置１に設けることにより、表示装置１０の表示部１００を均一に照明することができる。また、照明装置１の配置やレンズ部２１の形状、歪みに起因する色ムラや発光ムラの発生を抑制することもできる。なお、第７の実施の形態では、第１の実施の形態の照明装置を表示装置１０に適用した場合について説明したが、他の実施の形態の照明装置１を表示装置１０に適用してもよい。
【００５５】
［変形例］
なお、本発明の実施の形態は、上記各実施の形態に限定されるものではなく、本発明の要旨を変更しない範囲内で種々に変形、実施が可能である。例えば、レンズ部２１の入射面、出射面又は反射面に粗面加工を施して、ＬＥＤモジュール３０から出射した光を均一に分散させるようにしてもよい。
【００５６】
また、照明装置１は、出射側から見て略正方形状のＬＥＤモジュール３０を有するものについて説明したが、出射側から見て基板３の長手方向に沿って伸びる長方形状の１つ又は複数のＬＥＤモジュールを有するものでもよい。
【００５７】
また、透光性部材２は、例えば、一部に基板３の長手方向に沿って開口を有する、管状ではない形状であってもよい。
【産業上の利用可能性】
【００５８】
本発明は、液晶ディスプレイのバックライト、看板用照明装置、自動販売機用照明装置、屋内用照明装置、電気スタンド、自動車用ランプ、街路灯等に利用可能である。
【符号の説明】
【００５９】
１…照明装置、２、２Ａ、２Ｂ、２Ｃ、２Ｄ、２Ｅ…透光性部材、３、３Ａ…基板、４…蓋部材、１０…表示装置、１１…筺体、１１ａ…開口部、１１ｂ…背面板、１１ｃ…側面板、２１…レンズ部、２１ａ、２１ｄ、２１ｇ、２１ｊ…入射面、２１ｂ、２１ｃ、２１ｉ、２１ｋ…出射面、２１ｃ…側面、２１ｅ、２１ｈ…反射面、２１ｆ…凹面、２２…ベース部、２３…基板保持部、２４…肩部、２５…脚部、３０…ＬＥＤモジュール、３１…リード線、３２…光軸、４１…孔、１００…表示部、１００ａ…表示板、１００ｂ…透明板、１００ｃ…散乱板、２１０ａ…凹部、２１１…導光部、２１１ａ…端部、２１１ｂ…出射面、２１２…連結部、２１３…集光レンズ、２３１…凸部、３００・・・青色ＬＥＤ素子、３０１…凹部、３０２・・・パッケージ、３０３・・・封止樹脂、３０４・・・蛍光体、３０５…リード、ｄ１、ｄ２…空隙、Ｌ１１、Ｌ１２、Ｌ１３…光線、θ１、θ２…広がり角
【要約】      （修正有）【課題】簡素な構造で防水性に優れた照明装置及び表示装置を提供する。【解決手段】照明装置１は、光が入射する入射面２１ａと、入射面２１ａに入射した光を拡散して外部に出射する出射面２１ｂ、２１ｃとを有するレンズ部２１を備え、長手方向に渡って同一の断面形状を有する透光性部材２と、透光性部材２の内部に長手方向に沿って配置された基板３と、基板３に実装され、透光性部材２の入射面２１ａに光を出射するＬＥＤモジュール３０とを備える。【選択図】図３【図１】
0005403775.tif 000002
【図２】
0005403775.tif 000003
【図３】
0005403775.tif 000004
【図４】
0005403775.tif 000005
【図５】
0005403775.tif 000006
【図６】
0005403775.tif 000007
【図７】
0005403775.tif 000008
【図８】
0005403775.tif 000009
【図９】
0005403775.tif 000010
【図１０】
0005403775.tif 000011
【図１１】
0005403775.tif 000012